(57)【要約】【課題】睡眠姿勢に応じて、身体に当たらない位置でゴム長さを簡単に調節できるようにする。【解決手段】ウエスト部に設けたゴム通し部１１の複数箇所にゴム引出穴１２を設け、任意のゴム引出穴からウエストサイズに合わせてゴム２０を引き出し、この引き出されたゴムを２つ折りしてゴム引出穴に最も近接する位置のボタン穴を対向させ、両側の挟持板部を中芯部で連結した形状のボタンを用い、該ボタンの両側挟持板部を対向するボタン穴に通して留め、ウエストサイズに応じて上記ゴム通し部より引き出すゴムの長さを調節可能としている。【選択図】  図３
2004162202.tif 000002
【特許請求の範囲】
【請求項１】
ウエスト部に設けたゴム通し部にゴムを通し、該ゴム通し部に通しているゴムの長さを調節できるズボンであって、
上記ゴム通し部にゴム引出穴を間隔をあけて複数箇所設けると共に、環状とした上記ゴムに一定間隔をあけて複数のボタン穴を設け、
上記ゴム引出穴のうち任意のゴム引出穴からウエストサイズに合わせて上記ゴムを引き出し、この引き出されたゴムを２つ折りしてゴム引出穴に近接する位置のボタン穴を対向させ、
両側の挟持板部を中芯部で連結した形状のボタンを用い、該ボタンの両側挟持板部を対向するボタン穴に通して留め、上記ゴム通し部より引き出すゴムの長さを変えてウエスト周囲長さを調節可能としていることを特徴とするズボン。
【請求項２】
上記ゴム引出穴は、少なくとも前中心近傍、左右脇線近傍で前中心側に寄った位置の３カ所に設けている請求項１に記載のズボン。
【請求項３】
上記ボタンは、その両側挟持板部を長方形、長円あるいは楕円形状とし、これら両側の挟持板部の対向面中央を上記中芯部で連結し、該中芯部は上記挟持板部の短軸方向を長軸方向とした断面楕円形状とした樹脂一体成型品からなる請求項１または請求項２に記載のズボン。
【請求項４】
上記ゴムは帯状で、その幅方向の中心部に長さ方向に切り込んだボタン穴を設け、該ボタン穴の間隔は１〜２ｃｍに設定している１乃至請求項３のいずれか１項に記載のズボン。
【請求項５】
上記ウエスト部には、上記ゴム引出穴の近傍にゴム押さえループを取り付け、ゴム引出穴から引き出したゴムを上記ゴム押さえループに通して保持している請求項１乃至請求項４のいずれか１項に記載のズボン。
【請求項６】
マタニテイ用のズボンである請求項１乃至請求項５のいずれか１項に記載のズボン。
【発明の詳細な説明】
【０００１】
【発明が属する技術分野】
本発明は、ウエスト部に通すゴムの長さを調整できるズボンに関し、特に、マタニテイ用として好適に用いられ、妊婦は腹部の膨出に伴いウエストサイズも大きくなるため、マタニティ用パジャマのズボンのウエスト部に通しているゴムの長さをウエスト周囲長さに応じて着用者が簡単に調節できるようにするものである。
【０００２】
【従来の技術】
従来、ウエストサイズに応じてゴム長さを調節を可能とするパンツとして図８に示すパンツ１が提案されている。（特開２０００−２７３７０１号参照）  このパンツ１はウエスト部２にウエストロープ３及びウエストゴム４を通し、ウエストゴム４には紐止め具５を摺動自在に取り付けている。ウエストサイズの調節はこの紐止め具５により行っており、紐止め具５をウエストゴム引出側に移動させてウエストゴム４を引っ張ることにより締付力を強くし、逆に、紐止め具５をウエストゴム４の先端側に移動させることにより締付力を緩めている。
【０００３】
また、マタニティ用ズボンにおいては、一般的に、妊婦の腹部に干渉しないように、左脇に上記のようなゴム長さの調節機構を設けて、ウエスト周囲長さの変化に対応できるようにしている。
【０００４】
【特許文献１】
特開２０００−２７３７０１号公報
【０００５】
【発明が解決しようとする課題】
しかしながら、上記パンツ１およびマタニティ用ズボンであると、ウエストサイズに応じてゴム長さを調節するための紐止め具５の位置が予め決められている。したがって、左脇にウエストサイズの調節構造を設けたズボンを着用して睡眠する場合、左向き姿勢になると、紐止め具が肌に当たって左向きに眠れなくなり、睡眠姿勢を自由に選択できないという問題がある。このように脇側に紐止め部が位置すると横向きに寝づらくなり、仰向けで睡眠する着用者には前側に止め具が位置する場合が好ましいこともある。
また、病人用のパジャマのズボンにおいても同様な問題が生じる。即ち、病人は手術後ではウエスト回りのゴムをゆるめて身体に負担がかからないようにする必要があるが、回復後はズボンがずり落ちないようにゴムを締める必要がある。さらに、病気の経過によってはウエスト寸法の変化が急激な場合も多く、ゴムの長さを調節でき、かつ、寝た状態で調節部が身体に当たらないようにする必要がある。
【０００６】
本発明は上記問題に鑑みてなされたものであり、ウエストサイズを調節できる位置を複数箇所設け、睡眠時の姿勢に応じて、着用者の好みに応じて調節位置を選択できるようにすることを課題としている。
【０００７】
【課題を解決するための手段】
上記課題を解決するため、本発明は、ウエスト部に設けたゴム通し部にゴムを通し、該ゴム通し部に通しているゴムの長さをウエスト周囲長さに調節できるズボンであって、
上記ゴム通し部にゴム引出穴を間隔をあけて複数箇所設けると共に、環状とした上記ゴムに一定間隔をあけて複数のボタン穴を設け、
上記ゴム引出穴のうち任意のゴム引出穴からウエストサイズに合わせて上記ゴムを引き出し、この引き出されたゴムを２つ折りしてゴム引出穴に近接する位置のボタン穴を対向させ、
両側の挟持板部を中芯部で連結した形状のボタンを用い、該ボタンの両側挟持板部を対向するボタン穴に通して留め、上記ゴム通し部より引き出すゴムの長さを変えてウエスト周囲長さを調節可能としていることを特徴とするズボンを提供している。
【０００８】
上記のように、本発明では、ゴム通し部にゴム引出穴を複数箇所に設けて、これら複数箇所のゴム引出穴のうちから着用者が睡眠姿勢に応じてゴム引出穴を選択できるようにしているため、該ゴム引出穴に位置する上記ボタンを睡眠時に身体に当たらない位置とすることができる。かつ、この引き出したゴムを留めるボタンとして、任意の位置に後付けで取り付けることができる所謂アタッテ式のボタンを用いているため、任意の位置で引き出したゴムを任意の長さに調節することができる。
【０００９】
上記ゴム引出穴は、少なくとも前中心近傍、左右脇線近傍で前中心側に寄った位置の３カ所に設けている。
詳しくは、左右身頃に縫合線が位置する前中心より左右いずれか一方に若干寄った位置、および、着用者が横向き姿勢で睡眠した時に身体の下に位置しないように、左右脇線より若干前方に寄った位置の３ケ所にゴム引出穴を設けている。
なお、ゴム引出穴は上記３ケ所に限定されないが、通常は仰向け姿勢で睡眠するため、背面側は身体の下に当たることより、背面側にはゴム引出穴を設けていない。
【００１０】
上記のように３箇所にゴム引出穴を設けると、仰向け姿勢、右向きあるいは左向きの横向き姿勢で睡眠し、いずれの箇所からゴムを引き出しても身体の下にボタンが位置せず、着用者が睡眠時に寝返りして、仰向け、右向き、左向きになってもボタンが肌に食い込む位置とはならず、着用者は自分の好みの姿勢で睡眠をとることができる。
【００１１】
上記ゴム引出穴はゴム通し部の内周側に設けていることが好ましい。
上記構成とすると、引き出したゴムがズボン内に隠れるので見栄えがよい。
【００１２】
上記アタッチ式のボタンとして、その両側挟持板部を長方形、長円あるいは楕円形状とし、これら両側の挟持板部の対向面中央を上記中芯部で連結し、該中芯部は上記挟持板部の短軸方向を長軸方向とした断面楕円形状とした樹脂一体成型品を用いている。
一方、上記ゴムは幅１〜３ｃｍの帯状で、その幅方向の中心部に長さ方向に切り込んだボタン穴を設け、該ボタン穴の間隔は１〜２ｃｍに設定している。
【００１３】
アタッチ式のボタンを上記形状とすると、ボタンの挟持板部の短辺側からボタン穴に通すと、ボタン穴の寸法に対してボタンの挿入側寸法が短くなり、ボタンを通しやすくなる。かつ、挟持板部をボタン穴に通した状態でボタンの長辺側をボタン穴の長さ方向と直交方向となり、かつ、中芯部を断面楕円形状とし、その長軸方向を両側挟持板部の中央に長さ方向と直交方向とし、ボタン穴の長さ方向と一致させているため、回転しにくくなり、これによりボタンが取付位置から外れにくくなり、確実にゴムを固定できる。
【００１４】
上記ウエスト部には、上記ゴム引出穴の近傍にゴム押さえループを取り付け、ゴム引出穴から引き出したゴムを上記ゴム押さえループに通して保持していることが好ましい。
上記したゴム押さえループを設けて、引き出したゴムを通しておくと、ゴムの収まりをよくし、邪魔にならないようにすることができる。
【００１５】
上記したウエスト部のゴム通し部にゴム引出穴を設け、該ゴム引出穴から引き出されるゴムにボタンを取り付けて、ゴム通し部に通しているゴム長さをウエスト周囲長さに対応して変えられるようにしたズボンは、ウエストサイズの変化が激しいマタニテイ用ズボンとして好適に用いられる。また、マタニテイ用ズボンに限らず、前記した病人用ズボンとしても好適に用いられる。
【００１６】
【発明の実施の形態】
以下、本発明の実施の形態を図面を参照して説明する。
図１乃至図７は本発明の実施形態を示し、図１に示すマタニティ用ズボン１０は、上端部のウエスト部に環状のゴム２０を通すゴム通し部１１を備え、該ゴム２０を所要長さ引き出して着脱自在に取り付けるアタッチ式のボタン３０で止め、ゴム通し部１１に通すゴム２０の長さを調節できるようにしている。
【００１７】
上記ゴム通し部１１はマタニティ用ズボン１０を形成する前身頃および後身頃の布地の上端を内側に折り返して内周側を設け、折り返し端を外周側に縫着して形成している。
図２はマタニティ用ズボン１０の裏面側を示し、ゴム通し部１１の内周側（図２では外周側）には、該ゴム通し部に通したゴム２０を引き出すためのゴム引出穴１２を前中心近傍と左右脇線より前寄りの３箇所に設けている。
前中心近傍のゴム引出穴１２Ａは、前中心位置Ｃから右方向１ｃｍの位置に設け、左右両側のゴム引出穴１２Ｂ、１２Ｃは、両端脇線位置Ｓから前中心位置Ｃ方向の方向に１ｃｍの位置にそれぞれ設けている。
図３に示すように、これら３箇所のゴム引出穴１２のうちから、着用者は任意のゴム引出穴１２からゴム２０を引き出すことができるようにしている。
【００１８】
さらに、図２に示すように、ゴム通し部１１の内周側には、ゴム引出穴１２から引き出したゴム２０を挿通して保持するゴム押さえループを１３を設けている。該ゴム押さえループ１３は、紐等をゴム通し部１１の上下幅方向に架け渡し、其の両端をゴム通し部１１の布地に縫い付けている。
上記ゴム押さえループ１３はゴム引出穴１２Ａから右方向５ｃｍ、ゴム引出穴１２Ｂ，１２Ｃから前中心側に５ｃｍの位置にそれぞれ設けている。
【００１９】
図４は、環状のゴム２０の一部を示し、ゴム２０は偏平な帯状とし、その上下幅方向の中央位置に、長さ方向に切り込んだボタン穴２０ａを全長に亙って一定間隔をあけて設けている。本実施形態では、ゴム２０の幅Ｌ１を２０ｍｍ、ボタン穴２０ａの長さＬ２を７ｍｍ、ボタン穴２０ａ間の間隔Ｌ３を１０ｍｍとしている。また、ゴム２０の周長は９６ｃｍとし、Ｍ、Ｌサイズの女性が妊娠した時の最大腹部長さに対応できる長さとしている。
【００２０】
図５は、ゴム引出穴１２から引き出したゴム２０を引きだし位置で留めるアタッチ式のボタン３０を示す。
ボタン３０はポリエステル樹脂からなり一体成形品で、ゴム２０を両側から挟む平板状の挟持板部３０ａ（３０ａ−１、３０ａ−２）とを中芯部３０ｂで連結した形状としている。両側の挟持板部３０ａは隅部にアールを設けた長方形状とし、その対向する内面中央を連結する中芯部３０ｂは断面楕円形状とし、その長方向を挟持板部３０ａの長さ方向と直交方向としている。
本実施形態では、ボタン３０の挟持板部３０ａ長さＬ４を１５ｍｍ、幅Ｌ５を８ｍｍ、厚さＬ６を６ｍｍ、中芯部３０ｂの長さＬ７を２．３ｍｍとして、ゴム２０に通し易く、かつ、通した後に中芯部３０ｂを支点として挟持板部３０ｂを９０度回転させると、ボタン穴２０ａより外れない設定としている。
【００２１】
次に、着用者のウエストサイズに応じてゴム２０の長さを調整する方法について説明する。
図６（Ａ）に示すように、マタニティ用ズボン１０のゴム通し部１１に通したゴム２０を、着用者が選択したいずれか１つのゴム引出穴１２から引き出す。
上記ゴム引出穴１２からＵ状に引き出されるゴム２０ｂを、その折り返し端を先端としては２つ折り状態とし、一方側の引出穴１２に最も近い位置のボタン穴２０ａー１にボタン３０を取り付ける。
該ボタン３０の取付方法は、図７（Ａ）〜（Ｃ）に示すように、ボタン穴２０ａー１に対して引き出されたゴム２０の内周側より、ボタン３０の一方の挟持板部３０ａ−１の短辺側の一端より通して、外周側に挟持板部３０ａ−１を引きだし、中芯部３０ｂおよび他方の挟持板部３０ａ−２を内面側に位置させて取り付けておく。
【００２２】
次いで、図６（Ｂ）に示すように、着用者のウエストのサイズに合わせて、ボタン３０を取り付けていない側のゴム２０を更に引き出す。ボタン３０を取り付けているボタン穴２０ａ−１に引き出した他方側のボタン穴２０ａ−２を対向させる。このボタン穴２０ａ−２に対して、図７（Ｄ）（Ｅ）に示すように、ボタン３０の他方の係止板部３０ａー２を通し、ゴム２０の外周側に出す。この状態で、中芯部３０ｂに連結された両側の挟持板部３０ａ−１と３０ａ−２により引き出されて２つ折りされたゴム２０は挟持して、引き出されてゴム２０の長さを固定し、ゴム通し部１１内のゴム２０の長さをウエストサイズに適応した長さとする。
最後に、図６（Ｃ）（Ｄ）に示すように、ゴム引出穴１２から引き出したゴム２０をゴム押さえループ１３に通し、引き出されたゴム２０をウエスト回りに保持する。
【００２３】
なお、ゴムの長さ調整方法は、上記方法に限定されず、ゴム引出穴１２からゴム２０を所要寸法引き出し、ウエストサイズに合わせて後に、ゴム引出穴１２に対して最も近い位置のボタン穴を対向させて位置させ、この対向するボタン穴１２にボタン３０の両側の挟持板部３０ａを通してもよい。
【００２４】
このように、ゴム通し部１１に通したゴム２０がきつくなってくると、ボタン３０の一方の挟持板部３０ａー１を一方のボタン穴２０ａから抜き出す。この状態で、ゴム通し部１１を引っ張って、引き出しているゴム２０をゴム通し部１１内に引き込み、ゴム通し部１１内のゴム２０の長さがウエストサイズに合った所要長さとなると、引き出されているゴム２０のボタン穴２０ｂをボタン３０を取り付けているボタン穴２０ａに一致させて、他方の挟持板部３０ー２を通して引き出しているゴム２０の長さと、ゴム通し部１１に通しているゴムの長さとを固定する。
【００２５】
妊婦の腹部が膨張し、それに応じてウエストサイズも大きくなってくると、上記方法を繰り返すことにより、ゴムの長さを大としてウエストの緊締力を次第に緩めていくことができる。其の際、ゴム２０のボタン穴２０ａを１ｃｍ間隔で設けているため、ゴム２０の長さをウエストサイズの増大に応じて段階的に調節することができる。
【００２６】
上記したマタニティ用ズボン１０では、ゴム通し部１１に前中心近傍及び左右脇線の前方向寄りの３箇所にゴム引出穴１２を設けているので、着用者が自分の睡眠姿勢で邪魔にならない任意箇所のゴム引出穴１２からゴム２０を引き出してゴムの長さ調節をすることができる。これにより、睡眠時に身体の下にボタン３０が位置しないようにすることができ、好みの睡眠姿勢を取ることができる。
【００２７】
本発明のズボンは、マタニティ用としているが、病人のパジャマ用ズボンとし、術後の病状に応じてウエストの締付力を調節する必要がある場合等にも好適に用いることができる。即ち、ウエストからズボンがズレない程度に締める必要があり、かつ、その締める力を身体の状態に応じて調節する必要があるいずれの場合にも好適に用いられる。
【００２８】
【発明の効果】
以上の説明より明らかなように、本発明によれば、ゴム通し部に通したゴムを引き出すためのゴム引出穴を複数箇所設けているので、睡眠時にボタンのあたりを感じない箇所でゴムの長さ調節をすることが可能となり、好みの睡眠姿勢をとることができる。
さらに、ゴムにボタン穴を短い間隔で設けると共に、後付けのアタッチ式のボタンを用いているため、任意の長さに引き出したゴムを、その引きだし長さに固定することができるため、ウエストサイズの増加に応じて、ゴムの締付力を簡単に調節することができる。
【図面の簡単な説明】
【図１】本発明のマタニティ用ズボンの斜視図である。
【図２】マタニティ用ズボンの裏面を示す図面である。
【図３】ゴムを引き出した状態を示す図面である。
【図４】ゴムの要部拡大図である。
【図５】ボタンを示し、（Ａ）は正面図、（Ｂ）は側面図、（Ｃ）はＩ−Ｉ線断面図である。
【図６】（Ａ）〜（Ｄ）はウエストサイズの調節方法を示す図面である。
【図７】（Ａ）〜（Ｅ）はボタンをゴムのボタン穴に取り付ける方法を示す図面である。
【図８】従来例を示す図面である。
【符号の説明】
１０  マタニティ用ズボン
１１  ゴム通し部
１２  ゴム引出穴
１３  ゴム押さえループ
２０  ゴム
２０ａ  ボタン穴
３０  ボタン
３０ａ  挟持板部
３０ｂ  中芯部
【図１】
2004162202.tif 000003
【図２】
2004162202.tif 000004
【図３】
2004162202.tif 000005
【図４】
2004162202.tif 000006
【図５】
2004162202.tif 000007
【図６】
2004162202.tif 000008
【図７】
2004162202.tif 000009
【図８】
2004162202.tif 000010